(57)【要約】【課題】下着や靴下あるいはタオルといったような比較的小形の洗濯物だけでなく、シーツやタオルケットのような大形の洗濯物も干すことができる、使用性に勝れたハンガーを得る【解決手段】四角形状をしたハンガーフレーム２に、洗濯物を吊すための複数のピンチ３と吊り掛け用のフック５とを取り付けてなる複数のハンガーユニット１を、共通の平面内に列状に並べて配置すると共に、隣接するハンガーユニット１，１の相対する一つの角部同士を連結部６ａ，６ｂにより互いに回動自在なるように連結し、この連結部６ａ，６ｂを中心にしてハンガーユニット１を上記平面内で回動させることにより、使用時のハンガー形状を変更可能とする。【選択図】        図１
2004248996.tif 000002
【特許請求の範囲】
【請求項１】
洗濯物を吊すためのピンチを備えた複数のハンガーユニットを、共通の平面内に並べて配置すると共に、連結部により上記平面内において互いに回動自在なるように連結し、その回動によって使用時のハンガー形状を変更可能としたことを特徴とするユニット式ハンガー。
【請求項２】
洗濯物を吊すためのピンチを備えた略四角形状をなす複数のハンガーユニットを、共通の平面内に列状に並べて配置すると共に、隣接するハンガーユニットの相対する一つの角部同士を連結部により互いに回動自在なるように連結し、この連結部を中心にしてハンガーユニットを上記平面内で回動させることにより、使用時のハンガー形状を変更可能としたことを特徴とするユニット式ハンガー。
【請求項３】
上記ハンガーユニットが、相対する一対の長辺と他の相対する一対の短辺とを有していて、使用時のハンガー形状を、隣接するハンガーユニットの長辺同士が当接する第１形状と、短辺同士が当接する第２形状と、各ハンガーユニットが対角線方向に連なる第３形状とに変更可能であることを特徴とする請求項２に記載のユニット式ハンガー。
【請求項４】
上記各ハンガーユニットがそれぞれ吊り掛け用のフックを有することを特徴とする請求項１から３までの何れかに記載のユニット式ハンガー。
【請求項５】
上記ハンガーユニットの連結数が増減可能であることを特徴とする請求項１から４までの何れかに記載のユニット式ハンガー。
【請求項６】
４つの角部を有する略四角形状をしたハンガーフレームに、洗濯物を吊すための複数のピンチと、吊り掛け用のフックとを設けると共に、このハンガーフレームの少なくとも一方の対角線方向に位置する２つの角部に、他のハンガーユニットを共通の平面内で相互に回動自在なるように連結するための連結部を設けたことを特徴とするハンガーユニット。
【発明の詳細な説明】
【０００１】
【発明の属する技術分野】
本発明は、使用時のハンガー形状を洗濯物に応じて変更可能なハンガーに関するものである。
【０００２】
【従来の技術】
一般家庭で洗濯物を干すのに使用されているハンガーは、通常、矩形のハンガーフレームの下面に複数のピンチを鎖や紐等で吊り下げて取り付けると共に、ハンガーフレームの上面に吊り掛け用のフックを取り付けた構造を有していて、該フックを物干し竿に吊り掛けた状態で、上記ピンチに洗濯物を吊して干すように構成されている。
【０００３】
ところが、このような従来のハンガーは、下着類や靴下あるいはタオルといったような比較的小形の洗濯物を干すのに適したハンガー形状及び寸法に形成されているため、シーツやタオルケットのような長さの長い大形の洗濯物を干すのには不向きである。即ち、小形の洗濯物の場合には、各ピンチに個別に吊り下げたり、広げた状態で隣接する２つのピンチに吊り下げたりすることができるが、大形の洗濯物の場合は、ハンガーの長さとの関係で広げて吊り下げるのは困難であり、ジグザグ状に折り曲げて吊り下げるにしても、ピンチの数が足りないとか、折り曲げの間隔が小さくなって乾きにくいといったような問題がある。
【０００４】
【発明が解決しようとする課題】
本発明の技術的課題は、下着や靴下あるいはタオルといったような比較的小形の洗濯物だけでなく、シーツやタオルケットのような大形の洗濯物も干すことができる、使用性に勝れたハンガーを得ることにある。
【０００５】
【課題を解決するための手段】
上記課題を解決するため、本発明によれば、洗濯物を吊すためのピンチを備えた複数のハンガーユニットを、共通の平面内に並べて配置すると共に、連結部により上記平面内において互いに回動自在なるように連結し、その回動によって使用時のハンガー形状を変更可能としたことを特徴とするユニット式ハンガーが提供される。
【０００６】
上記構成を有するユニット式ハンガーは、連結された複数のハンガーユニットを互いの連結点で回動させることにより、ハンガー形状を変えることができ、それに伴ってハンガーの長さも変化するため、洗濯物に合わせてハンガー形状及び長さを変えることにより、下着や靴下あるいはタオルといったような比較的小形の洗濯物は勿論のこと、シーツやタオルケットのような長さの長い大形の洗濯物であっても、１つのハンガーを使用して干すことができる。
【０００７】
本発明において好ましくは、上記ハンガーユニットが略四角形状をしていて、隣接するハンガーユニットの相対する一つの角部同士が連結部により相互に連結されていることである。より具体的には、上記ハンガーユニットが、相対する一対の長辺と他の相対する一対の短辺とを有していて、使用時のハンガー形状を、隣接するハンガーユニットの長辺同士が当接する第１形状と、短辺同士が当接する第２形状と、各ハンガーユニットが対角線方向に連なる第３形状とに変更可能となっていることである。
【０００８】
本発明において、上記各ハンガーユニットには、それぞれ吊り掛け用のフックが設けられている。
また、上記ハンガーユニットの連結数は増減可能であることが望ましい。
【０００９】
更に、本発明によれば、４つの角部を有する略四角形状をしたハンガーフレー  ムに、洗濯物を吊すための複数のピンチと、吊り掛け用のフックとを設けると共に、このハンガーフレームの対角線方向に位置する２つの角部に、他のハンガーユニットを共通の平面内で相互に回動自在なるように連結するための連結部を設けたことを特徴とするハンガーユニットが提供される。
【００１０】
【発明の実施の形態】
以下、本発明に係るユニット式ハンガーの代表的な実施形態について図面を参照しながら詳細に説明する。図１に示すユニット式ハンガーは、複数のハンガーユニット１ａ，１ｂを回動自在に連結し、その回動によって使用時のハンガー形状を変更可能としたものである。
【００１１】
上記ハンガーユニット１ａ，１ｂは、４つの角部を有する略四角形状をした金属製又は合成樹脂製のハンガーフレーム２を備えていて、このハンガーフレーム２に、洗濯物を吊すための複数のピンチ３を鎖やワイヤー等の紐状部材４で吊り下げて取り付けると共に、物干し竿１０（図２を参照）などに吊り掛けるための１つの吊掛用フック５を向きを変更できるように取り付け、更に、該ハンガーフレーム２の対角線方向に位置する２つの角部にそれぞれ連結部６ａ，６ｂを設けたものである。そして、このような構成を有する複数のハンガーユニット１ａ，１ｂを、上記各ハンガーフレーム２が共通の平面内に位置するように一列に並べて配置し、隣接するハンガーユニット１ａ，１ｂ同士を、相対する上記連結部６ａ，６ｂによって上記平面内で回動自在なるように連結することにより、上記ハンガーが形成されている。
【００１２】
上記ハンガーフレーム２は、ハンガーユニット１ａ，１ｂの回動によってハンガー形状ができるだけ大きく変化するように、正方形とするよりは長方形とする方が望ましく、このため図示した例では、相対する一対の長辺２ａ，２ａと他の相対する一対の短辺２ｂ，２ｂとを有する長方形状に形成している。この場合、上記ハンガーフレーム２の各辺は必ずしも直線状をしている必要はなく、図示した一対の長辺２ａ，２ａのように、その一部に凹部２ｃなどが形成されていても良く、あるいは、全体が内側に窪んだ形に湾曲していても良い。上記ハンガーフレーム２の内側には支持フレーム７が架設され、この支持フレーム７に上記フック５が、該ハンガーフレーム２の上面中央部の位置に３６０度回転自在なるように取り付けられている。
【００１３】
また、上記ハンガーフレーム２に形成された２つの連結部６ａ，６ｂは、それぞれ短円筒状に形成されていて、一方の第１連結部６ａは、上向きに突出する円形の連結軸６ｃを有し、他方の第２連結部６ｂは、下向きに開口する円形の軸受孔６ｄを有しており、上記連結軸６ｃの直径はこの軸受孔６ｄに嵌合可能な大きさである。そして、隣接するハンガーユニット１ａ，１ｂの連結軸６ｃと軸受孔６ｄとを相互に嵌合させることにより、これらのハンガーユニット１ａ，１ｂが着脱自在かつ回動自在なるように連結されている。従って、上記ハンガーユニット１ａ，１ｂの連結数は必要に応じて増減可能である。なお、上記第２連結部６ｂに下向きに突出する連結軸を設け、第１連結部６ａに上向きに開口する軸受孔を設けても良い。
【００１４】
上記構成を有するユニット式ハンガーは、各ハンガーユニット１ａ，１ｂを互いの連結点で回動させることによリ、使用時のハンガー形状を変更することができる。すなわち、図２及び図３は、隣接するハンガーユニット１ａ，１ｂの長辺２ａ，２ａ同士が当接する第１形状を示し、図４及び図５は、隣接するハンガーユニット１ａ，１ｂの短辺２ｂ，２ｂ同士が当接する第２形状を示し、図６は、隣接するハンガーユニット１ａ，１ｂが何れの辺同士も当接することなく対角線方向に連なった第３形状を示している。そして、このようなハンガー形状の変更に伴ってハンガー寸法（長さ）Ｌも変化し、そのハンガー長さＬは、上記第１形状の場合に最も小さく、第３形状の場合に最も大きく、第２形状の場合はそれらの中間の大きさとなる。例えば、ハンガーフレーム２の短辺２ｂと長辺２ａとの長さの比が１：２であると、上記第２形状の場合のハンガー長さＬは第１形状の場合の２倍となり、第３形状の場合は第１形状の場合の約２．２倍となる。
【００１５】
上記ハンガーを使用して下着や靴下あるいはタオルといったような比較的小形の洗濯物を干す場合には、この洗濯物を各ピンチ３に個々に吊り下げたり、広げた状態で隣接する複数のピンチ３に吊り下げれば良い。従って、この場合のハンガー形状は第１形状でも第２形状でも良く、自由である。一方、シーツやタオルケットのような長さの長い大形の洗濯物を干す場合には、ハンガー形状を、ハンガー長さＬが長い上記第２形状かまたは第３形状に変更し、上記洗濯物を広げた状態か、あるいはジグザグ状に折り曲げた状態で、複数のピンチ３に吊り下げて干すようにする。この場合、洗濯物をジグザグ状に折り曲げても、ハンガー長さが長いために折り曲げ間隔も十分広がっており、乾き易い。
【００１６】
かくして上記ユニット式ハンガーは、洗濯物に合わせてハンガー形状及び長さを変更することにより、１つのハンガーで大小両方の洗濯物に対応することができる。
【００１７】
上記ユニット式ハンガーは、各ハンガーユニット１ａ，１ｂにおけるハンガーフレーム２の側面に、隣接するハンガーユニット１ａ，１ｂ同士で相互に係止し合う係止手段を付設しておくことにより、ハンガー形状を上記第１形状及び第２形状に変更した場合に、それらのハンガー形状を確実かつ安定的に維持させることができる。このような係止手段として例えば永久磁石を用いることができ、この永久磁石８を、例えば図７に２つの隣接するハンガーユニット１ａ，１ｂについて代表的に示すように、各連結部６ａ，６ｂの右側の辺の先端部ではＳ極（又はＮ極）を外側に向けて取り付けると共に、各連結部６ａ，６ｂの左側の辺の先端部ではＮ極（又はＳ極）を外側に向けて取り付けておくことにより、ハンガー形状を上記第１形状及び第２形状の何れの形状に変更した場合でも、隣接するハンガーユニット１，１ｂの永久磁石８，８同士が相互に吸着し合ってハンガー形状が維持されることになる。
【００１８】
また、図示したユニット式ハンガーにおいては、列の左側から数えて奇数番目に位置するハンガーユニット１ａと偶数番目に位置するハンガーユニット１ｂとで、第１連結部６ａと第２連結部６ｂの配置が互いに異なっている。即ち、図２において、ハンガーフレーム２の４つの角部を左上から時計回りに順に第１の角部▲１▼〜第４の角部▲４▼とすると、奇数番目に位置するハンガーユニット１ａでは、第１の角部▲１▼と第３の角部▲３▼とに上記第１連結部６ａと第２連結部６ｂとが設けられ、偶数番目に位置するハンガーユニット１ｂでは、第２の角部▲２▼と第４の角部▲４▼とに上記第２連結部６ｂと第１連結部６ａとが設けられている。その他の両ハンガーユニット１ａ，１ｂの構成は互いに同じである。従って上記ユニット式ハンガーは、連結部６ａ，６ｂの配置が異なる２種類のハンガーユニット１ａ，１ｂを交互に連結することによって組み立てられている。
【００１９】
しかし、同一構成のハンガーユニットを順次連結することによってユニット式ハンガーを構成することもできる。図８及び図９にはそのようなユニット式ハンガーの例が３つのハンガーユニット１によって代表的に示されている。この実施例では、ハンガーフレーム２の２つの対角線の両端の角部にそれぞれ、連結孔６ｅを有する略円形状の第１連結部６ａと第２連結部６ｂとが形成されている。これらの連結部６ａ，６ｂの高さは上記ハンガーフレーム２の高さの略１／２であって、第１連結部６ａはハンガーフレーム２の下半部側に設けられ、第２連結部６ｂはハンガーフレーム２の上半部側に設けられている。
【００２０】
そして、上記各ハンガーユニット１を同じ向きにして順次並べると共に、隣接するハンガーユニット１，１の第１連結部６ａと第２連結部６ｂとを上下に重ね合わせ、１組の第１連結部６ａと第２連結部６ｂとを連結孔６ｅに挿入した連結ピン９で着脱自在かつ回転自在に連結することにより、両ハンガーユニット１，１が相互に回転自在に連結されている。
なお、上記ハンガーユニット１の上記以外の構成は、上記ハンガーユニット１ａ，１ｂと実質的に同じである。
【００２１】
また、上記各実施例において、ハンガーユニット１，１ａ，１ｂは、それ単独でもハンガーとして使用することができる。
【００２２】
【発明の効果】
このように本発明によれば、下着や靴下あるいはタオルといったような比較的小形の洗濯物だけでなく、シーツやタオルケットのような大形の洗濯物も干すことができる、使用性に勝れたハンガーを得ることができる。
【図面の簡単な説明】
【図１】本発明に係るユニット式ハンガーの斜視図である。
【図２】図１のユニット式ハンガーを第１形状とした場合の平面図である。
【図３】図２の正面図である。
【図４】図１のユニット式ハンガーを第２形状とした場合の平面図である。
【図５】図４の正面図である。
【図６】図１のユニット式ハンガーを第３形状とした場合の平面図である。
【図７】ユニット式ハンガーの他の構成例を示す平面図である。
【図８】ユニット式ハンガーの更に他の構成例を示す平面図である。
【図９】図８の正面図である。
【符号の説明】
１，１ａ，１ｂ      ハンガーユニット
２      ハンガーフレーム
２ａ      長辺
２ｂ      短辺
３      ピンチ
４      紐状部材
５      フック
６ａ，６ｂ      連結部
１０      物干し竿
【図１】
2004248996.tif 000003
【図２】
2004248996.tif 000004
【図３】
2004248996.tif 000005
【図４】
2004248996.tif 000006
【図５】
2004248996.tif 000007
【図６】
2004248996.tif 000008
【図７】
2004248996.tif 000009
【図８】
2004248996.tif 000010
【図９】
2004248996.tif 000011